(57)【要約】  物品をキャリア（１４）に接続するための接続装置（１０）を開示する。接続装置は、接続装置を物品に固定するための固定構成（１２）と、接続装置を前記キャリアに取り付けるための取り付け構成（２６）とを備えている。取り付け構成は、キャリアを係合するための第１の突出構造（２８）とキャリアを通して挿入するための第２の突出構造（３２）とを備えている。第２の突出構造がキャリアを通して挿入されるとき、キャリアの一部分は、第１および第２の突出構造の間に収容されることができ、それにより、接続装置をキャリアに取り付ける。
2017533389.tif 000002
【特許請求の範囲】
【請求項１】
物品をキャリアに接続するための接続装置において、
前記接続装置は、
前記接続装置を前記物品に固定するための固定構成と、
前記接続装置を前記キャリアに取り付けるための取り付け構成とを備え、
前記取り付け構成は、前記キャリアを係合するための第１の突出構造と前記キャリアを通して挿入するための第２の突出構造とを備え、
前記第２の突出構造が前記キャリアを通して挿入されるとき、前記キャリアの一部分は、前記第１および第２の突出構造の間に収容されることができ、それにより、前記接続装置を前記キャリアに取り付ける、接続装置。
【請求項２】
前記第１の突出構造は、前記キャリアの前記一部分の第１の面を係合し、前記第２の突出構造は、前記キャリアの前記一部分の対向する第２の面を係合する、請求項１に記載の接続装置。
【請求項３】
前記取り付け構成は、前記第１および第２の突出構造の間に伸長するスペーサ部、前記第１および第２の突出構造の間に規定された間隙をさらに含む、請求項１または２に記載の接続装置。
【請求項４】
前記取り付け構成は、前記第１および第２の突出構造を通して伸長する回転軸の周りを、前記取り付け位置に回転可能であり、それによって、前記取り付け構成が前記回転軸の周りを回転するときに、前記キャリアの一部分を第１および第２の突出構造の間に収容できる、請求項３に記載の接続装置。
【請求項５】
前記取り付け構成は、前記第１の突出構造と前記固定構成との間に伸長する架橋要素を有する、請求項４に記載の接続装置。
【請求項６】
前記架橋要素は細長いものである、請求項５に記載の接続装置。
【請求項７】
前記架橋要素は、中央軸を有し、前記回転軸は、前記架橋要素の前記中央軸に対してオフセットされており、前記回転軸は、前記架橋要素の前記中央軸と実質的に並行である、請求項５または６に記載の接続装置。
【請求項８】
前記第１の突出構造は、前記架橋要素から外側に伸長し、前記第２の突出構造は、前記スペーサ部から外側に伸長する、請求項５、６または７に記載の接続装置。
【請求項９】
前記第２の突出構造は、前記スペーサ部から、それに関連する対向する方向に伸長する、請求項８に記載の接続装置。
【請求項１０】
前記第２の突出構造は、先端面と固定領域を有し、前記取り付け構成が前記取り付け位置に回転されるときに、前記先端面は、前記キャリアの前記一部分を横切るための前記第２の突出構造の第１の領域であり、前記取り付け構成が前記取り付け位置にあるときに、取り付け面は前記キャリアを係合する、請求項８または９に記載の接続装置。
【請求項１１】
前記間隙は、前記取り付け面においてよりも、前記先端面においてより大きく、前記先端面は、前記取り付け面に向かって先細になる表面を有する、請求項１０に記載の接続装置。
【請求項１２】
前記スペーサ部は、前記取り付け構成の一方向への回転を防止するための停止構造を有し、前記取り付け構成が前記方向に回転するときに、前記停止構造は、前記キャリアまたは中間据え付けクリップを係合するように構成されている前記スペーサ部の領域を備える、請求項３から１１のうちのいずれか一項に記載の接続装置。
【請求項１３】
前記停止構造は、前記スペーサ部の対角線上に対向する領域を備え、前記領域間の距離は、開口部の幅よりも長い、請求項１２に記載の接続装置。
【請求項１４】
前記スペーサ部は、前記キャリアまたは中間据え付けクリップに対する前記取り付け構成の回転を可能にするための曲がった縁部を有する、請求項１２または１３に記載の接続装置。
【請求項１５】
前記スペーサ部は、実質的に直径に対向する側の曲がった縁部を有し、前記曲がった縁部間の直径距離は、前記キャリアまたは中間据え付けクリップにおける開口部の幅よりも短い、請求項１４に記載の接続装置。
【請求項１６】
前記第１の突出構造は、実質的に円形であり、架橋要素から放射状に伸長する、請求項１から１５のうちのいずれか一項に記載の接続装置。
【請求項１７】
前記第２の突出構造は、実質的に、その長さよりも長い幅を有する長方形であってよい、請求項１から１６のうちのいずれか一項に記載の接続装置。
【請求項１８】
接続装置およびキャリアを備える接続構成において、
前記接続装置は、
前記接続装置を物品に固定するための固定構成と、
前記接続装置を前記キャリアに取り付けるための取り付け構成とを備え、
前記取り付け構成は、前記キャリアの一部分の第１の面を係合するための第１の突出構造と前記キャリアの前記一部分の第２の面を係合するための第２の突出構造とを備える、接続構成。
【請求項１９】
前記キャリアは、開口部を規定する主要部を備え、
前記第２の突出構造は、前記開口部を通して挿入されるように構成され、
前記第２の突出構造が前記開口部を通して挿入されるとき、前記キャリアの前記一部分は、前記第１および第２の突出構造の間に収容されることができ、
それにより、前記接続装置を前記キャリアに取り付ける、請求項１８に記載の接続構成。
【請求項２０】
前記キャリアに取り付けられることができる、複数の接続装置を備える、請求項１８または１９に記載の接続構成。
【請求項２１】
前記キャリアは、細長い支持体を備える、請求項１８、１９または２０に記載の接続構成。
【請求項２２】
前記キャリアは、前記接続装置を支持体に据え付けるため中間据え付けクリップを備える、請求項１８、１９または２０に記載の接続構成。
【請求項２３】
請求項１に記載した接続装置を支持体に据え付けるための中間据え付けクリップにおいて、
前記中間据え付けクリップは、２つの対向する弾性可動部を備えており、
前記弾性可動部は、前記支持体との係合をもたらすように弾性的に動かせ、それにより、前記中間据え付けクリップを前記支持体に締結し、
各弾性可動部は、その上に取り付け構造を有し、
前記取り付け構造は、前記接続装置を前記中間据え付けクリップに取り付けるために、前記接続装置の取り付け構成と協働可能である、中間据え付けクリップ。
【請求項２４】
前記第２の突出構造がキャリアを通してまたは前記弾性可動部の間に挿入されるとき、前記取り付け構成を取り付け位置に回転させると、前記キャリアまたは前記中間据え付けクリップの前記した部分は、前記接続装置の前記第１および第２の突出構造の間に収容されることができる、請求項２３に記載の中間据え付けクリップ。
【請求項２５】
各弾性可動部上の前記取り付け構造間の距離は、前記第２の突出構造の幅よりも長い、請求項２３または２４に記載の中間据え付けクリップ。
【請求項２６】
各弾性可動部上の前記取り付け構造間の前記距離は、前記第２の突出構造の長さよりも短い、請求項２５に記載の中間据え付けクリップ。
【請求項２７】
前記弾性可動部を含む主要部を備え、
前記主要部は、前記弾性可動部を前記支持体と係合して動くように弾性的に変形可能である、請求項２３から２６のうちのいずれか一項に記載の中間据え付けクリップ。
【請求項２８】
前記主要部は、前記２つの弾性可動部間に伸長する中央部を有し、両方の弾性可動部は、前記中央部から同じ方向に伸長する、請求項２７に記載の中間据え付けクリップ。
【請求項２９】
前記主要部は、実質的に「Ｕ」字形の端部プロフィールを有し、各弾性可動部は、前記中央部から伸長するリーフを備える、請求項２８に記載の中間据え付けクリップ。
【請求項３０】
各弾性可動部上の前記取り付け構造は、前記取り付け構成を前記接続装置上に係合するための内側に伸長する部材を備え、
前記内側に伸長する部材は、前記第１の突出構造を係合するための第１の表面を有する、請求項２３から２９のうちのいずれか一項に記載の中間据え付けクリップ。
【請求項３１】
前記第１の表面は、実質的に平らである、請求項３０に記載の中間据え付けクリップ。
【請求項３２】
前記内側に伸長する部材は、前記第２の突出構造を係合するための第２の表面を有する、請求項３０または３１に記載の中間据え付けクリップ。
【請求項３３】
前記第２の表面は、実質的に平らである、請求項３２に記載の中間据え付けクリップ。
【請求項３４】
前記第１および第２の表面は、前記それぞれ内側に伸長する部材の第１および第２の対向面であり、各内側に伸長する部材は、前記それぞれの弾性可動部に横に伸長する、請求項３２または３３に記載の中間据え付けクリップ。
【請求項３５】
それぞれの端停止は、前記内側に伸長する部材のそれぞれの一端上に設けられている、請求項３０から３４のうちのいずれか一項に記載の中間据え付けクリップ。
【請求項３６】
第１の内側に伸長する部材上の前記端停止は、第２の内側に伸長する部材上の前記端停止への前記その対向端上にあり、それにより、前記取り付け構成が前記取り付け位置にあるときに、前記接続装置の前記第２の突出構造は、前記端停止を係合できる、請求項３５に記載の中間据え付けクリップ。
【請求項３７】
前記内側に伸長する部材は、互いに実質的に対向するように構成され、それにより、前記取り付け構成の回転は、前記第１および第２の突出構造が前記取り付け構造を係合するように動く、請求項３０から３６のうちのいずれか一項に記載の中間据え付けクリップ。
【請求項３８】
それぞれの開口部は、各内側に伸長する部材に隣接する第１および第２の弾性可動部のそれぞれによって規定され、それにより、各開口部は、前記第１の突出構造を収容する位置に規定される、請求項３０から３７のうちのいずれか一項に記載の中間据え付けクリップ。
【請求項３９】
前記中間据え付けクリップは、前記中間据え付けクリップを前記支持体に締結するための締結手段をさらに含み、
前記締結手段は、前記弾性可動部上に設けられる、請求項３０から３８のうちのいずれか一項に記載の中間据え付けクリップ。
【請求項４０】
前記締結手段は、複数の締結要素を備え、これは、前記それぞれの弾性可動部から外側に伸長する、請求項３９に記載の中間据え付けクリップ。
【請求項４１】
各弾性可動部は、中央部から空間を空けた先端自由縁、および先端縁と前記中央部との間に伸長する２つの対向側縁を有する、請求項４０に記載の中間据え付けクリップ。
【請求項４２】
前記締結手段は、各弾性可動部上に設けられている、請求項３９、４０または４１に記載の中間据え付けクリップ。
【請求項４３】
各弾性可動部上の前記締結手段は、内側締結要素と外側締結要素とを備え、前記外側締結要素は、前記弾性可動部の先端縁に隣接して設けられ、前記内側締結要素は、前記外側締結要素と中央部との間に設けられる、請求項４２に記載の中間据え付けクリップ。
【請求項４４】
前記締結手段は、前記弾性可動部のそれぞれの上に前記内側および外側締結要素の２つのセットを備え、各セットは前記弾性可動部のそれぞれの側縁上に設けられ、それにより、前記中間据え付けクリップが前記支持体に取り付けられるとき、前記支持体の内側に伸長する部分は、前記内側および外側締結要素の間に収容される、請求項４３に記載の中間据え付けクリップ。
【請求項４５】
請求項１から１７のうちのいずれか一項に記載した接続装置と、
前記接続装置を支持体上に据え付けるための中間据え付けクリップとを備え、
前記接続装置は、
前記接続装置を物品に固定するための固定構成と、
前記接続装置を前記中間据え付けクリップに取り付けるための取り付け構成とを備え、
前記取り付け構成は、
前記中間据え付けクリップの部分の第１の面を係合するための第１の突出構造と、
前記中間据え付けクリップの前記部分の第２の面を係合するための第２の突出構造とを備える、接続アセンブリ。
【請求項４６】
前記中間据え付けクリップは、請求項２３から４４のうちのいずれか一項に記載されているものである、請求項４５に記載の接続アセンブリ。
【請求項４７】
添付の図面を参照して、実質的にここで説明したような接続装置。
【請求項４８】
図２から４、および、６から１４を参照して、実質的にここで説明したような接続構成。
【請求項４９】
添付の図面の図６から１４を参照して、実質的にここで説明したような中間据え付けクリップ。
【請求項５０】
添付の図面の図６から１４を参照して、実質的にここで説明したような接続アセンブリ。
【発明の詳細な説明】
【技術分野】
【０００１】
本発明は、接続装置に関する。本発明はまた、接続装置およびキャリアを備える接続構成に関する。排他的ではないが、より具体的には、本発明は、物品を支持体から吊り下げるための接続装置に関する。本発明はまた、支持体上に接続装置を据え付けるための中間据え付けクリップの形態のキャリアに関する。
【背景技術】
【０００２】
天井または屋根から物品を吊り下げることが必要であることが多い。これは、屋根にストラットを固定し、その後、ねじ棒上にねじ止めされたナットにより、ねじ棒をストラットに取り付けることによって実行される。その後、物品は、ねじ棒に取り付けられる。
【発明の概要】
【０００３】
本発明の一態様によれば、物品をキャリアに接続するための接続装置が設けられ、接続装置は、装置を物品に固定するための固定構成と、装置をキャリアに取り付けるための取り付け構成とを備え、取り付け構成は、キャリアの一部分の第１の面を係合するための第１の突出構造とキャリアの前記部分の第２の面を係合するための第２の突出構造とを備えている。
【０００４】
本発明の一態様によれば、物品をキャリアに接続するための接続装置が設けられ、接続装置は、接続装置を物品に固定するための固定構成と、接続装置をキャリアに取り付けるための取り付け構成とを備え、取り付け構成は、キャリアを係合するための第１の突出構造とキャリアを通して挿入するための第２の突出構造とを備え、第２の突出構造がキャリアを通して挿入されるとき、キャリアの一部分は、第１および第２の突出構造の間に収容されることができ、それにより、接続装置をキャリアに取り付ける。
【０００５】
第１の突出構造は、キャリアの部分の第１の面を係合してよい。第２の突出構造は、キャリアの前記部分の対向する第２の面を係合してよい。
【０００６】
開口部を規定するキャリアと共に使用するための接続装置の一実施形態では、第２の突出構造は、使用する際に開口部を通して挿入されてよい。
【０００７】
本発明の別の態様によれば、接続装置とキャリアを備える接続構成が設けられ、接続装置は、接続装置を物品に固定するための固定構成と、接続装置をキャリアに取り付けるための取り付け構成とを備え、取り付け構成は、キャリアの一部分の第１の面を係合するための第１の突出構造とキャリアの前記部分の第２の面を係合するための第２の突出構造とを備えている。
【０００８】
キャリアは、開口部を規定できる主要部を備えてよい。第２の突出構造は、開口部を通して挿入されてよく、第２の突出構造が開口部を通して挿入されるとき、キャリアの前記部分は、第１および第２の突出構造の間に収容されることができ、それにより、接続装置をキャリアに取り付ける。
【０００９】
接続構成は、キャリアに取り付けられることができる複数の接続装置を備えてよい。
【００１０】
一実施形態では、キャリアは、支持体を備えることができる。支持体は、ストラットのような、細長い支持体であってよい。別の実施形態では、キャリアは、接続装置を支持体に据え付けるための中間据え付けクリップを備えることができる。
【００１１】
本発明の別態様によれば、上記で説明したような接続装置を支持体に据え付けるための中間据え付けクリップが設けられ、中間据え付けクリップは、２つの対向する弾性可動部を備えており、弾性可動部は、支持体との係合をもたらすように弾性的に動かせ、それにより、中間据え付けクリップを支持体に締結し、各弾性可動部は、その上に取り付け構造を有し、前記取り付け構造は、接続装置を中間据え付けクリップに取り付けるために、接続装置上で取り付け構成と協働可能である。
【００１２】
第２の突出構造がキャリアを通してまたは弾性可動部の間に挿入されるとき、取り付け構成を取り付け位置に回転させると、キャリアまたは中間据え付けクリップの前記部分は、接続装置の前記第１および第２の突出構造との間に収容されることができる。
【００１３】
取り付け構成は、第１および第２の突出構造の間に伸長するスペーサ部をさらに含んでよい。間隙は、第１および第２の突出構造の間に規定されてよい。
【００１４】
取り付け構成は、第１および第２の突出構造を通して伸長する回転軸の周りを、取り付け位置に回転可能である。取り付け構成が回転軸の周りを回転するときに、キャリアまたは中間据え付けクリップの一部分を第１および第２の突出構造の間に収容できる。取り付け構成の回転は、前記回転軸の周りを接続装置が回転することによってもたらすことができる。
【００１５】
取り付け構成は、第１の突出構造と固定構成との間に伸長する架橋要素を有してよい。架橋要素は細長くてよい。
【００１６】
架橋要素は、中央軸を有してよい。一実施形態では、回転軸は、架橋要素の中央軸に対してオフセットされてよい。回転軸は、架橋要素の中央軸と実質的に並行であってよい。
【００１７】
第１の突出構造は、架橋要素から外側に伸長してよい。第２の突出構造は、スペーサ部から外側に伸長してよい。第２の突出構造は、スペーサ部から、それに関連する対向する方向に伸長してよい。
【００１８】
第２の突出構造は、先端面と固定領域を有してよい。取り付け構成が取り付け位置に回転されるときに、先端面は、キャリアまたは中間据え付けクリップの前記部分を横切るための第２の突出構造の第１の領域であってよい。取り付け構成が取り付け位置にあるときに、取り付け面はキャリアまたは中間据え付けクリップを係合してよい。
【００１９】
間隙は、取り付け面においてよりも、先端面において、より大きくてよい。先端面は、取り付け面に向かって先細になる表面を有してよい。
【００２０】
第１の突出構造は、架橋要素から放射状に伸長してよく、実質的に円形であってよい。第２の突出構造は、実質的に、その長さよりも長い幅を有する長方形であってよい。
【００２１】
キャリアまたは中間据え付けクリップの開口部は、細長くてよく、第２の突出構造の長さよりも長い長さを有してよい。キャリアにおける開口部の幅、または、弾性可動部上の取り付け構造間の距離は、第２の突出構造の幅よりも長くてよい。第２の突出構造の長さは、開口部の幅、または、弾性可動部上の取り付け構造間の距離よりも長くてよい。
【００２２】
スペーサ部は、取り付け構成の一方向への回転を防止するための停止構造を有してよい。取り付け構成が前記方向に回転するときに、停止構造は、キャリアまたは中間据え付けクリップを係合するように構成されているスペーサ部の領域を備えてよい。停止構造は、スペーサ部の対角線上に対向する領域を備え、前記領域間の距離は、開口部の幅よりも長い。
【００２３】
スペーサ部は、キャリアまたは中間据え付けクリップに対する取り付け構成の回転を可能にするための曲がった縁部を有してよい。スペーサ部は、直径に対向する側の曲がった縁部を有してよく、曲がった縁部間の直径距離は、キャリアまたは中間据え付けクリップにおける開口部の幅よりも短い。
【００２４】
固定構成は、物品を接続装置に固定するための任意の適切な固定構成を備えることができる。このような固定構成の一例が、ＧＢ２４７３３２０Ａに開示されている。
【００２５】
中間据え付けクリップは、主要部を備えていてよく、主要部は、弾性可動部を含んでよい。主要部は、弾性可動部を支持体と係合して動くように弾性的に変形可能であってよい。
【００２６】
主要部は、２つの弾性可動部間に伸長する中央部を有してよい。両方の弾性可動部は、中央部から同じ方向に伸長してよい。主要部は、実質的に「Ｕ」字形の端部プロフィールを有してよい。各弾性可動部は、中央部から伸長するリーフを備えてよい。弾性可動部のそれぞれは、中央部から伸長するそれぞれのリーフを備えてよい。
【００２７】
各弾性可動部上の取り付け構造は、取り付け構成を接続装置上に係合するための内側に伸長する部材を備えてよい。内側に伸長する部材は、第１の突出構造を係合するための第１の表面を有してよい。第１の表面は、実質的に平らな第１の表面であってよい。
【００２８】
内側に伸長する部材は、第２の突出構造を係合するための第２の表面を有してよい。第２の表面は、実質的に平らな第２の表面であってよい。
【００２９】
第１および第２の表面は、内側に伸長する部材の第１および第２の対向面であってよい。各内側に伸長する部材は、それぞれの弾性可動部に横に伸長してよい。したがって、接続装置を取り付け位置に回動させて、第１および第２の突出構造間に内側に伸長する部材を収容してよい。
【００３０】
端停止は、内側に伸長する部材のそれぞれの一端上に設けられてよい。内側に伸長する部材は、互いに実質的に対向するように構成されてよく、それにより、取り付け構成の回転は、第１および第２の突出構造が取り付け構造を係合するように動く。
【００３１】
第１の内側に伸長する部材上の端停止は、第２の内側に伸長する部材上の端停止へのその対向端上にあってよい。取り付け構成が取り付け位置にあるときに、第２の突出構造は、端停止を係合できる。
【００３２】
それぞれの開口部は、各内側に伸長する部材に隣接する第１および第２の弾性可動部のそれぞれによって規定されてよい。各開口部は、第１の突出構造を収容する位置に規定されてよい。
【００３３】
中間据え付けクリップは、中間据え付けクリップを支持体に締結するための締結手段をさらに含むことができる。締結手段は、弾性可動部に設けられてよい。締結手段は、各弾性可動部に設けられてよい。
【００３４】
締結手段は、複数の締結要素を備え、これは、それぞれの弾性可動部から外側に伸長してよい。各弾性可動部は、中央部から空間を空けた先端自由縁を有してよい。各弾性可動部は、先端縁と中央部との間に伸長する２つの対向側縁を有してよい。
【００３５】
各弾性可動部上の締結手段は、内側締結要素と外側締結要素とを備えてよい。外側締結要素は、弾性可動部の先端縁に隣接して設けられてよい。内側締結要素は、外側締結要素と中央部との間に設けられてよい。
【００３６】
締結手段は、弾性可動部のそれぞれの上に内側および外側締結要素の２つのセットを備えてよい。各セットは弾性可動部のそれぞれの側縁上に設けられてよい。
【００３７】
中間据え付けクリップが支持体に取り付けられるとき、支持体の内側に伸長する部分は、内側および外側締結要素の間に収容される。
【００３８】
本発明の別の態様によれば、接続装置と、接続装置を支持体上に据え付けるための中間据え付けクリップとを備え、接続装置は、接続装置を物品に固定するための固定構成と、接続装置を中間据え付けクリップに取り付けるための取り付け構成とを備え、取り付け構成は、中間据え付けクリップの部分の第１の面を係合するための第１の突出構造と、中間据え付けクリップの前記部分の第２の面を係合するための第２の突出構造とを備えている。
【００３９】
本発明の少なくともの実施形態を、添付の図面を参照して、単なる一例として、これから説明する。
【図面の簡単な説明】
【００４０】
【図１】図１は、接続装置の斜視図である。
【図２】図２は、接続装置とキャリアを備えた接続構成である。
【図３】図３は、接続装置がキャリアに取り付けられていることを示す、図２の接続構成の斜視図である。
【図４】図４は、キャリアに取り付けられている接続装置を示す、図２の接続構成の斜視図である。
【図５】図５は、図１中の線Ａ−Ａに沿った図である。
【図６】図６は、接続装置、中間据え付けクリップおよびさらなる支持体の、上面斜視図である。
【図７】図７は、図６中に示す、接続装置、中間据え付けクリップおよびさらなる支持体の、底面斜視図である。
【図８】図８は、６図中に示す、接続装置、中間据え付けクリップおよびさらなる支持体の、側断面図である。
【図９】図９は、さらなる支持体への挿入前の、中間据え付けクリップに取り付けられた接続装置の上面斜視図である。
【図１０】図１０は、さらなる支持体への挿入前の、中間据え付けクリップに取り付けられた接続装置の側断面図である。
【図１１】図１１は、さらなる支持体への挿入後の、中間据え付けクリップに取り付けられた接続装置の上面斜視図である。
【図１２】図１２は、さらなる支持体への挿入後の、中間据え付けクリップに取り付けられた接続装置の側断面図である。
【図１３】図１３は、接続装置を回転させて、接続装置をさらなる支持体上に据え付けた後の、中間据え付けクリップに取り付けられた接続装置の上面斜視図である。
【図１４】図１４は、接続装置を回転させて、接続装置をさらなる支持体上に据え付けた後の、中間据え付けクリップに取り付けられた接続装置の側断面図である。
【図１５】図１５は、さらなる接続装置の取り付け構成の拡大図である。
【発明を実施するための形態】
【００４１】
図１は、接続構成１２（図２から図４参照）の一部として使用するための接続装置１０を示している。接続構成１２は、接続装置１０と、細長い支持体１４の形態のキャリアとを備えている。
【００４２】
支持体１４は、細長い中央ストリップ１８の形態の主要部１６と中央ストリップ１８の対向縁から伸長する２つの細長い実質的に平行な横ストリップ２０とを備える、細長いストラットの形態であり、したがって、支持体１４は実質的にＵ字形の端部プロフィールを有する。
【００４３】
細長いスロット２２の形態の開口部は、横ストリップ２０中および中央ストリップ１８中に規定される。支持体１４は、建物の屋根または天井に設置されることができ、物品を、例えばパイプをそこから吊り下げることができる。
【００４４】
接続装置１０は、物品を支持体１４に接続するために設けられ、物品を接続装置１０に固定するための固定構成２４と、接続装置１０を支持体に取り付けるための取り付け構成２６とを備えている。固定構成２４は、任意の適切な固定構成であってもよい。示した実施形態では、固定構成２４は、ＧＢ２４７３３２０Ａで公開された固定構成２４と類似している。
【００４５】
取り付け構成２６は、第１の突出構造２８と、第１の突出構造２８から固定構成２４に伸長する架橋要素３０とを備えている。架橋要素３０は、中央主軸Ｍを有している。取り付け構造は、中央主軸Ｍからオフセットされ、中央主軸に平行である回転軸Ｒを有している。
【００４６】
第１の突出構造２８は、直径Ｄ（図５参照）を有する構成で実質的に円形であり、直径Ｄは、支持体１４中のスロット２２の幅Ａよりも長い。指示矢印２９は、以下で説明するように、接続装置１０を支持体１４に取り付けるために取り付け構成が回転すべきである方向を示すために、第１の突出構造２８上に付けられる。
【００４７】
取り付け構成２６は、第２の突出構造３２と、第１および第２の突出構造２８、３２の間にスペーサ部３４とをさらに含み、これにより、スペーサ部３４の各側上で、第１および第２の突出構造２８、３２の間に間隙３６が規定される。各間隙３６のサイズは、中央ストリップ１８および横ストリップ２０の厚さに等しく、またはこれより大きく、これにより、支持体１４の領域を間隙３６中に収容できるようにする。
【００４８】
第２の突出構造３２は、実質的に長方形であり、第１の突出構造２８にわたるその対向する側のスペーサ部３４から突出している。第２の突出構造３２は、支持体１４中の細長いスロット２２の幅Ａよりも短い幅Ｂを有し、長さＣは、支持体１４中の細長いスロット２２の幅Ａよりも長い。
【００４９】
使用する際に、取り付け構成２６は、細長いスロット２２のうちの１つに、例えば、支持体１４の横ストリップ２０のうちの１つに挿入され、第１および第２の突出構造２８、３２は、横ストリップ２０の対向する第１および第２の面２０Ａ、２０Ｂに配置される。この位置において、スペーサ部３４は、スロット２２を通して伸張する。
【００５０】
取り付け構成２６は、円形の第１の突出構造２８が横ストリップ２０の第１の面２０Ａを係合するまで、スロットに挿入されることだけができる。そのように係合されるときに、第２の突出構造３２は、対向する第２の面２０Ｂを係合するように配置される。
【００５１】
取り付け構成２６は、取り付け位置（図４参照）へと、矢印２９によって示される方向に、回転軸Ｒの周りを回転し、第２の突出構造３２は、横ストリップ２０の前述の領域を通して配置される。
【００５２】
図１を参照すると、第２の突出構造３２は、先端面３２Ａと取り付け面３２Ｂとを有している。先端面３２Ａは、取り付け構成２６が矢印２９によって示される方向で取り付け位置へと回転するときに、横ストリップ２０の前述の領域を横切るための第２の突出構造３２の第１の表面である。
【００５３】
取り付け面３２Ｂは、取り付け構成２６が取り付け位置にあるときに、横ストリップ２０を係合する。間隙３６は、取り付け面３２Ｂよりも先端面３２Ａにおいてより大きくなっている。先端面３２Ａは、取り付け面３２Ｂに向かって先細になっている。
【００５４】
固定構成２４は、架橋要素３０によって取り付け構成２６上に固定的に据え付けられている。したがって、取り付け構成２６を回転させることは、接続装置１０を回転させる。接続装置１０は、回転軸Ｒの周りを９０°だけ回転できる。
【００５５】
示した実施形態において、回転軸Ｒは、架橋要素３０の中央主軸Ｍからのオフセットである。所望される場合、別の実施形態では、回転軸は、中央軸と同軸であることができる。
【００５６】
このように回転するときに、第２の突出構造３２は、図３中に示すような、第２の突出構造３２が細長いスロット２２と並行に伸長する位置から、図４中に示すような、第２の突出構造３２細長いスロット２２に直角に伸長する位置に移動する。
【００５７】
図４中に示す位置において、細長いスロット２２の縁に隣接する横ストリップ２０の領域は、第１および第２の突出構造２８、３２の間の間隙３６中に収容される。このように配置されるときに、取り付け構成２６および接続装置１０は、支持体１４に取り付けられる。
【００５８】
図５を参照すると、正反対の隅領域４２の形態で、停止構造４０にスペーサ部３４が設けられている。スペーサ部３４は、凸上に曲がり、対向する隅領域４２間で伸長する、対向側面４３を有している。
【００５９】
スペーサ部３４は、隅領域４２の間に主寸法Ｘを有し、寸法Ｘの長さは、細長いスロット２２の幅Ａよりも長い。
【００６０】
スペーサ部３４は、対向側面４３間に横寸法Ｙを有し、横寸法Ｙは、寸法Ｘに直角である。横寸法Ｙの長さは、細長いスロット２２の幅Ａよりも短い。結果として、接続装置は、取り付け構成２６が細長いスロット２２を通して挿入されるときに、（矢印２９によって示すように）１つの方向にのみ回転できる。
【００６１】
接続構成１２は、支持体１４に沿って、間隔を空けたスロット２２において、支持体に取り付けられた複数の接続装置１０を備えている。したがって、複数の接続装置１０は、物品（例えば、パイプ）を支持体１４に接続する。
【００６２】
したがって、説明した、物品を支持体１４に接続するための接続装置１０があり、これは、物品を支持体１４に接続するための単純で効率的な手段を提供する。
【００６３】
図６から１４を参照すると、中間据え付けクリップ５０が設けられており、接続装置１０は、中央ストリップ１１８と中央ストリップ１１８から伸長する横ストリップ１２０の対との間に凹部１１６を規定する、さらなる支持体１１４上に据え付けられることになる。横ストリップ１２０のそれぞれは、内側に曲がった縁部１２４を備える自由縁領域１２２を有している。さらなる支持体１１４は、ユニストラット（ｕｎｉｓｔｒｕｔ）として技術的に知られている。このようなケースでは、接続装置１０を直接さらなる支持体１１４に取り付けることは不可能である。接続装置１０は、中間据え付けクリップ５０の形態でキャリアに取り付けられ、中間据え付けクリップ５０は、接続装置１０を、さらなる支持体１１４によって規定される凹部１１６内に据え付けるために使用される。
【００６４】
図６から図１４中で示す接続装置１０の特徴は、図１から図５中で示す接続装置１０と同一であり、図６から図１４中の接続装置１０は、図１から図５中の対応する特徴と同一の参照番号で示されている。
【００６５】
中間据え付けクリップ５０は、実質的に「Ｕ」字形の端部プロフィールを有する弾性変形可能主要部５２を備える。主要部５２は、中央部５４と、２つのリーフ（ｌｅａｆ）５６、５８の形態の２つの弾性可動部とを備えている。リーフ５６、５８は、中央部５４から同一方向に伸長し、互いに対向して配置されている。
【００６６】
リーフ５６、５８のそれぞれは、実質的に平らなストリップの形態の、内側に伸長する部材６０、６２の形態の取り付け構造を有している。内側に伸長する部材６０、６２は、互いに対向して構成されている。
【００６７】
円形の第１の突出構造２８の直径Ｄ（図５参照）は、内側に伸長する部材６０、６２間の距離よりも長い。第２の突出構造３２の幅Ｂ（図２参照）は、内側に伸長する部材６０、６２間の距離よりも短い。また、第２の突出構造３２の幅Ｃは、内側に伸長する部材６０、６２間の距離よりも長い。
【００６８】
停止部材６４が、各内側に伸長する部材６０、６２の対向端に設けられている。内側に伸長する部材６０のうちの１つの上の停止部材６４は、他の内側に伸長する部材６２上の停止部材６４へのその対向端に配置されている。
【００６９】
リーフ５６、５８のそれぞれは、それぞれの内側に伸長する部材６０、６２に隣接する長方形の開口部６６を規定する。開口部６６は、互いに対向するリーフ５６、５８中に規定される。図６から１４中で示す中間据え付けクリップ５０の方向で、長方形の開口部６６は、それぞれの内側に伸長する部材６０、６２の下に規定されている。
【００７０】
内側に伸長する部材６０、６２のそれぞれは、実質的に平らな表面を有する第１および第２の対向面６８、７０を有している。第１の面６８は、長方形の開口部６６に面し、第２の面７０は、中央部５４に面している。
【００７１】
リーフ５６、５８には、中間据え付けクリップ５０をさらなる支持体１１４に締結するための締結手段７２が設けられている。リーフ５６、５８のそれぞれは、中央部５４から間隔を空けた先端縁７４と、先端縁７４から中央部５４に伸長する側縁７６の対とを有している。
【００７２】
示した実施形態において、締結手段７２は、リーフ５６、５８の側縁７６のそれぞれに設けられている。締結手段７２は、側縁７６のそれぞれに、外側および内側締結要素７８、８０を備えている。
【００７３】
各外側締結要素７８は、先端縁７４に隣接するリーフ５６、５８の側縁７６に設けられている。各内側締結要素８０は、先端縁７４と中央部５４との間のリーフ５６、５８の側縁７６に設けられている。
【００７４】
示した実施形態において、外側締結要素７８のそれぞれは、形が実質的に平らで長方形であり、内側締結要素８０のそれぞれは、形が実質的に平らで三角形である。それぞれのウェブ要素８２は、内側および外側締結要素７８、８０の間に伸長する。
【００７５】
接続装置１０を支持体１１４上に据え付けるために、接続装置は、中間据え付けクリップ５０に取り付けられる（図９および１０参照）。そのようにするために、第２の突出構造３２が、内向きに伸長する部材６０、６２の間を通過できるように、取り付け構成２６は、方向付けられる。その後、第１の突出構造２８が各内側に伸長する部材６０、６２の第１の面６８を係合するまで、取り付け構成２６は、リーフ５６、５８の間に挿入される。
【００７６】
この位置では、第１の突出構造２８は、対向する開口部６６のそれぞれにおいて、部分的に収容され、これにより、中間据え付けクリップ５０上に接続装置１０を保持する。
【００７７】
中間据え付けクリップ５０は、その上に保持されている接続装置１０とともに、リーフ５６、５８が横ストリップ１２０を係合するように、さらなる支持体１１４によって規定された凹部に挿入される（図１および図１２を参照）。内側に曲がった縁部１２４は、側縁７６のそれぞれの外側および内側締結要素７８、８０間に収容され、これにより、中間据え付けクリップ５０をさらなる支持体１１４上に保持する。
【００７８】
その後、接続装置１０は、図１３および図１４に示す位置へと、回転軸Ｒの周りを回転することができ、第２の突出構造３２が、内側に伸長する部材６０、６２の第２の面７０をわたって回転し、それとともに係合する。接続装置１０は、第２の突出構造３２が停止部材６４の両方を係合するまで回転する。
【００７９】
接続装置１０の回転は、第２の突出構造３２を回転させてリーフ５６、５８と係合させ、リーフ５６、５８をさらなる支持体１１４の横ストリップ１２０ときつく係合するように外側に付勢する。外側および内側締結要素７８、８０は、内側に曲がった縁部１２４を係合し、中間据え付けクリップがさらなる支持体１１４から取り外されることを防ぐ。
【００８０】
結果として、中間据え付けクリップ５０は、接続装置をさらなる支持体上に据え付けることを可能にし、これにより、接続装置１０は、物品をさらなる支持体１１４に接続することができる。
【００８１】
本発明の範囲から逸脱することなく、さまざまな修正を行うことができる。例えば、上述したように、固定構成２４は、他の何らかの適切な固定構成であることがある。
【００８２】
さらなる変形が、図１５中に示されており、第２の突出構造３２上にクラッシュリブ（ｃｒｕｓｈ  ｒｉｂ）９０が設けられ、先端面３２Ａから取り付け面３２Ｂに伸長することを除き、これは、上記の接続装置１０と同一である。
【００８３】
クラッシュリブ９０は、支持体１４の細長い中央ストリップ１８の厚さの差を調節するためにするために設けられている。中央ストリップ１８は、リブ９０をクラッシュする大きな厚さを有している一方で、中央ストリップ１８は、リブ９０を係合するより小さな厚さを有している。
【図１】
2017533389.tif 000003
【図２】
2017533389.tif 000004
【図３】
2017533389.tif 000005
【図４】
2017533389.tif 000006
【図５】
2017533389.tif 000007
【図６】
2017533389.tif 000008
【図７】
2017533389.tif 000009
【図８】
2017533389.tif 000010
【図９】
2017533389.tif 000011
【図１０】
2017533389.tif 000012
【図１１】
2017533389.tif 000013
【図１２】
2017533389.tif 000014
【図１３】
2017533389.tif 000015
【図１４】
2017533389.tif 000016
【図１５】
2017533389.tif 000017
【国際調査報告】
2017533389.tif 000018
2017533389.tif 000019
2017533389.tif 000020